(57)【特許請求の範囲】
【請求項１】
プラントの建設工事で実施される作業に関する作業情報、および前記作業情報と関連づけられた、前記プラントにおいて定義された複数の区画のうち前記作業が行われる区画に関する区画情報と、前記作業が実施される期間に関する期間情報と、前記建設工事に含まれる系統のうち前記作業の属する系統に関する系統情報とを格納する記憶部と、
前記作業情報を前記区画情報毎に抽出し、抽出された前記作業情報の前記期間情報に基づいて前記作業の工程を前記区画別に示す区画別工程表を生成する工程表生成部と、
生成された前記区画別工程表に含まれる前記作業の前記作業情報に関連づけられた前記系統情報に基づいて前記区画別工程表を変換して、前記作業の工程を前記系統別に示した系統別工程表を生成する変換部とを備えたことを特徴とする建設工程管理システム。
【請求項２】
前記記憶部は、前記作業情報と関連づけられた前記建設工事に用いられる部材の形状データをさらに記憶し、
前記系統情報は、前記作業の属する系統を構成する前記部材の形状データに関連づけられた値であり、
前記区画別工程表に含まれる前記作業に関連する前記部材の前記形状データを用いて前記区画別工程表に従って区画別に工事の状況をシミュレーションし、または前記系統別工程表に含まれる前記作業に関連する部材の前記形状データを用いて前記系統別工程表に従って系統別に工事の状況をシミュレーションするシミュレーション部をさらに備えた請求項１記載の建設工程管理システム。
【請求項３】
前記変換部は、前記区画別工程表に含まれる前記作業の前記作業情報に関連づけられた前記系統情報に基づいて、前記作業を系統情報別に抽出し、抽出された前記作業を前記系統別に並び替えることにより、前記区画別工程表を前記系統別工程表に変換する請求項１または２記載の建設工程管理システム。
【請求項４】
前記区画別工程表に含まれる区画から一または複数の区画の選択を受け付ける入力部をさらに備え、
前記工程表生成部は、選択された前記区画の区画別工程表を生成する請求項１〜３のいずれか一項記載の建設工事管理システム。
【請求項５】
前記期間情報に基づき前記作業が実施される期間がバーで示された前記区画別工程表または前記系統別工程表を表示する表示部と、
前記バーを移動することにより前記期間情報の変更を受け付ける入力部と、
前記入力部が前記期間情報の変更を受け付けた場合、前記記憶部の前記期間情報を編集する編集部とをさらに備えた請求項１または２記載の建設工程管理システム。
【請求項６】
プラントの建設工事で実施される作業に関する作業情報、および前記作業情報と関連づけられた、前記プラントにおいて定義された複数の区画のうち前記作業が行われる区画に関する区画情報と、前記作業が実施される期間に関する期間情報と、前記建設工事に含まれる系統のうち前記作業の属する系統に関する系統情報とを格納する記憶部と、データ処理装置とを準備するステップと、
前記データ処理装置が、前記作業情報を前記区画情報毎に抽出し、抽出された前記作業情報の前記期間情報に基づいて前記作業の工程を前記区画別に示す区画別工程表を生成する工程表生成ステップと、
前記データ処理装置が、生成された前記区画別工程表に含まれる前記作業の前記作業情報に関連づけられた前記系統情報に基づいて前記区画別工程表を変換して、前記作業の工程を前記系統別に示した系統別工程表を生成する変換ステップとを備えたことを特徴とする建設工程管理方法。
【発明の詳細な説明】
【技術分野】
【０００１】
本発明は、プラントの建設工程を区画別および系統別で管理するプラント建設工程管理システムおよびその管理方法に関する。
【背景技術】
【０００２】
原子力や火力発電プラントの建設工事においては、工程表が作成されて、この工程表を用いて工程管理が行われている。また今日では、３次元ＣＡＤシステムと工程管理システムを用いることにより、工事状況を電子的にシミュレーションするツールの開発が進められている。このツールは、工事設計図の精度向上と、進捗状況の可視化を可能とする。
【０００３】
例えば、特許文献１には、機器モジュール・部材の形状を用いて、工程表に従う機器モジュール・部材の据付の推移を動画シミュレーションにて表現する技術が開示されている。
【先行技術文献】
【特許文献】
【０００４】
【特許文献１】特開２００１−２６２８２９号公報
【発明の概要】
【発明が解決しようとする課題】
【０００５】
プラントの建設工事初期においては、区画別の工事管理が行われる。区画別の工事管理は、配管、電気計装、空調設備その他設備に係る工事の布設ルート、作業手順、作業量に基づいて選定された小部屋単位に工事を管理する方式である。
【０００６】
建設工事が進み、電源盤が受電する頃から、プラント設備の機能・システム単位に工事が管理される（インサービスが行われる）。すると、系統別に工事が管理される。系統別の工事管理は、系統に関わる各区画や設備の工事状況を、機能別（系統別）に管理する方式である。
【０００７】
上述した通り、工事初期においては、区画別の工事管理が採用され、区画別の工程表が用いられる。このため、工事が進むにつれ、区画別管理と系統別管理との２種類の視点で工事を管理するためには、別途、系統別の工程表の作成が不可欠である。
【０００８】
しかし、工事の中期または後期において系統別の工程表を作成する場合、区画別の工程表に基づいて系統別の工程表を作成または変更する作業が必要となる。この作業は、非常に手間を要し、かつ管理を複雑にする。
【０００９】
また、電源盤が受電する頃はプラント建設工事の後期である。後期工程における工事件数とそれに伴う工数は増加する傾向にあるため、区画別および系統別の工程表の作成量および作成時間は増加してしまう。
【００１０】
本発明はこのような事情を考慮してなされたもので、区画別工事管理と系統別工事管理とを一元化し、工程表作成に要する時間を削減することができる建設工程管理システムおよびその管理方法を提供することを目的とする。
【課題を解決するための手段】
【００１１】
本発明に係る建設工程管理システムは、上述した課題を解決するために、プラントの建設工事で実施される作業に関する作業情報、および前記作業情報と関連づけられた、前記プラントにおいて定義された複数の区画のうち前記作業が行われる区画に関する区画情報と、前記作業が実施される期間に関する期間情報と、前記建設工事に含まれる系統のうち前記作業の属する系統に関する系統情報とを格納する記憶部と、前記作業情報を前記区画情報毎に抽出し、抽出された前記作業情報の前記期間情報に基づいて前記作業の工程を前記区画別に示す区画別工程表を生成する工程表生成部と、生成された前記区画別工程表に含まれる前記作業の前記作業情報に関連づけられた前記系統情報に基づいて前記区画別工程表を変換して、前記作業の工程を前記系統別に示した系統別工程表を生成する変換部とを備えたことを特徴とする。
【発明の効果】
【００１２】
本発明に係る建設工程管理システムおよびその管理方法においては、区画別工事管理と系統別工事管理とを一元化し、工程表作成に要する時間を削減することができる。
【図面の簡単な説明】
【００１３】
【図１】本発明に係る建設工程管理システムの一実施形態を示す機能ブロック図。
【図２】工程データ記憶部に記憶された工程データおよびＣＡＤデータ記憶部に記憶されたＣＡＤデータの一例を示す説明図。
【図３】区画別工程表の一例を示す説明図。
【図４】シミュレーション動画を概念的に示す説明図。
【図５】選択された区画の区画別工程表を示す説明図。
【図６】区画Ｂおよび区画Ｃに関するシミュレーション動画を概念的に示す説明図。
【図７】本実施形態における建設工程管理システムにより実施される工程表変換処理を説明するフローチャート。
【図８】系統Ａに関する系統別工程表の一例を示す説明図。
【図９】系統Ａに関するシミュレーション動画を概念的に示す説明図。
【図１０】本実施形態における建設工程管理システムにより実施される工程編集処理を説明するフローチャート。
【図１１】区画別工程表の作業期間を編集する際の、編集前の区画別工程表を示す説明図。
【図１２】区画別工程表の作業期間を編集する際の、編集後の区画別工程表を示す説明図。
【図１３】編集後の区画別工程表に基づいて生成される系統別工程表の一例を示す説明図。
【発明を実施するための形態】
【００１４】
本発明に係る建設工程管理システムおよびその管理方法の一実施形態を添付図面に基づいて説明する。本実施形態における建設工程管理システムおよびその管理方法は、例えば原子力発電プラント、火力発電プラントなどの各種プラントを建設する際の工程の管理に適用することができる。
【００１５】
図１は、本発明に係る建設工程管理システムの一実施形態を示す機能ブロック図である。図２は、工程データ記憶部１０に記憶された工程データ２０およびＣＡＤデータ記憶部１１に記憶されたＣＡＤデータ２１の一例を示す説明図である。
【００１６】
建設工程管理システム１は、工程データ記憶部１０、３次元ＣＡＤデータ記憶部（ＣＡＤデータ記憶部）１１、データ処理装置１２、入力装置１３、および出力装置１４を備える。
【００１７】
工程データ記憶部１０は、工事の作業工程を管理する工程管理システムで用いられるデータ（工程データ２０）を記憶する。図２に示すように、工程データ記憶部１０は、互いに関連づけられた作業名、作業情報、区画情報、および期間情報を記憶する。作業名は、例えば工程表において作業を識別するために付与される名称である。作業情報は、プラントの建設工事で実施される複数の作業において固有に付与される情報である。区画情報は、プラント内で定義された複数の区画のうち、作業が行われる区画に関する情報である。区画は、配管、電気計装、空調設備その他の設備に関する工事の布設ルート、作業手順、および作業量をもとに選定された各小部屋単位に定義される。期間情報は、作業が実施される期間（着手日時・終了日時）に関する情報である。
【００１８】
３次元ＣＡＤデータ記憶部（ＣＡＤデータ記憶部）１１は、プラント設備の設計図を作成する３次元ＣＡＤシステム（３ＤＣＡＤ）で用いられるデータ（ＣＡＤデータ２１）を記憶する。図２に示すように、ＣＡＤデータ記憶部１１は、互いに関連づけられた形状データ、作業情報、および系統情報を記憶する。形状データは、配管、電気計装、空調設備その他の設備に係る作業（単に「作業」という。）に用いられる部材の形状を示すデータである。ＣＡＤデータ記憶部１１は、形状データと、この形状データで示される部材が用いられる作業情報とを関連づけて記憶する。建設工事における作業は、いずれかの系統に属しており、この系統は一または複数の部材（形状データ）により構成される。系統情報は、プラントの系統のうち形状データが属する系統に関する情報である。換言すると、系統情報は、作業の属する系統を構成する部材の形状データに関連づけられた値である。
【００１９】
工程データ記憶部１０およびＣＡＤデータ記憶部１１は、既存の工程管理システムおよび３ＤＣＡＤに設けられる記憶部を利用してもよい。この場合、建設工程管理システム１は、各記憶部１０、１１に記憶されたデータをネットワークを介して取得する。また、工程データ記憶部１０およびＣＡＤデータ記憶部１１は、建設工程管理システム１に固有に設けられるものであってもよい。この場合、ＣＡＤデータ記憶部１１および工程データ記憶部１０は、区別される必要はなく、共通の記憶部であってもよい。
【００２０】
データ処理装置１２は、工程表生成部２３と、シミュレーション部２４と、データ変換部２５と、工程編集部２６とを有する。
【００２１】
工程表生成部２３は、工程データ記憶部１０に記憶された工程データに基づいて、区画別工程表を生成する。区画別工程表は、作業工程が区画毎に分かれて示された工程表である。区画別工程表においては、例えば縦軸に区画、横軸に時間を割り当て、各作業が実施される期間（の長さ）は工程バー（の長さ）で示される。
【００２２】
シミュレーション部２４は、ＣＡＤデータ記憶部１１に記憶されたデータに基づいて、工事の状況を区画別工程表または系統別工程表に従ってシミュレーションする。すなわち、シミュレーション部２４は、各工程表に従った作業の進行状況を形状データを用いて図式化する（設計図を生成する）。本実施形態においては、形状データは３次元データであるため、作業の進行状況が３次元でシミュレーションされる。
【００２３】
データ変換部２５は、工程表生成部２３により生成された区画別工程表を系統別工程表に変換する。系統別工程表は、作業工程が系統毎に分けて示された工程表である。系統別工程表においては、例えば縦軸に系統名、横軸に時間を割り当て、各作業が実施される期間の長さが工程バーで示される。データ変換部２５は、作業情報に関連づけられた系統情報に基づいて区画別工程表を変換する。データ変換部２５により実施される処理の詳細は、後述する。
【００２４】
工程編集部２６は、入力装置１３を介して受け付けた入力に基づいて、各工程表における作業の期間情報を変更する。工程編集部２６により実施される処理の詳細は、後述する。
【００２５】
入力装置１３は、キーボードやマウスなどの装置であり、データ処理装置１２が操作者より指示を受け付けるための装置である。出力装置１４は、ディスプレイやプリンタなどの装置であり、データ処理装置１２により得られた処理結果を操作者に提示するための装置である。
【００２６】
次に、本実施形態における建設工程管理システム１の作用を説明する。
【００２７】
まず、工程表生成部２３により生成される区画別工程表、およびシミュレーション部２４により生成されるシミュレーション動画について説明する。
【００２８】
図３は、区画別工程表３０の一例を示す説明図である。図４は、シミュレーション動画３４を概念的に示す説明図である。説明の便宜上、シミュレーション動画３４は平面図で示す。
【００２９】
図３に示すように、区画別工程表３０においては、縦軸に区画、横軸に時間を割り当て、各作業が実施される期間はバー（以下、「工程バー」という。）３１を用いて示される。工程バー３１には、操作者が認識可能な作業名称が示される。図３においては、作業名称は「作業項目１」〜「作業項目５」である。
【００３０】
図４に示すように、シミュレーション動画３４は、区画Ａ３５ａ〜区画Ｄ３５ｄに含まれる形状データを３次元で表示する。区画Ａ３５ａ〜区画Ｄ３５ｄの境界は、点線で示される。また、区画Ａ３５ａ〜区画Ｄ３５ｄには、形状データとして、形状データＡ３６ａ〜形状データＥ３６ｅが用いられる。
【００３１】
形状データＡ３６ａ〜形状データＣ３６ｃに係る部材は、プラント内における一の系統である系統Ａを構成する部材であり、形状データＡ３６ａ〜形状データＣ３６ｃには系統Ａが関連づけられている。また、形状データＤ３６ｄ、形状データＥ３６ｅに係る部材は、系統Ｂを構成する部材であり、形状データＤ３６ｄ、形状データＥ３６ｅには系統Ｂが関連づけられている。
【００３２】
形状データＡ３６ａは、区画Ｂ３５ｂ〜区画Ｄ３５ｄに亘って配置される部材である。形状データＢ３６ｂは、区画Ａ３５ａに配置される部材である。形状データＣ３６ｃは、区画Ｄ３５ｄに配置される部材である。形状データＤ３６ｄは、区画Ａ３５ａに配置される部材である。形状データＥ３６ｅは、区画Ｃ３５ｃに配置される部材である。
【００３３】
シミュレーション部２４は、工事の状況を図３の区画別工程表３０の工程に沿ってシミュレーションする。シミュレーション部２４は、例えば操作者により区画別工程表３０の工程バー３１が選択されると、その工程バー３１に係る工程データ２０およびＣＡＤデータ２１に基づいて、作業の状況をシミュレーションする。例えばシミュレーション部２４は、工程データ記憶部１０の期間情報に基づいて、既に完了した工事に関する部材（形状データ）のみを表示し、未作業の工事に関する部材を非表示にする。操作者は、工事の状況を視覚的に認識することができる。シミュレーション部２４は、操作者により入力された区画、日時などの情報に応じて、作業状況をシミュレーションしてもよい。
【００３４】
なお、本実施形態においては、区画別工程表３０と関連づけてシミュレーション動画３４が生成されればよく、表示方法や生成方法についてはこれに限らず公知の技術を適用することができる。さらに、シミュレーション結果は、動画のみならずある時点での静止画を生成してもよい。
【００３５】
建設工程管理システム１は、操作者により選択された区画のみの区画別工程表３０およびシミュレーション動画３４を生成することもできる。
【００３６】
図５は、選択された区画の区画別工程表３０を示す説明図である。工程表生成部２３は、入力装置１３を介して操作者より区画別工程表３０を表示する区画の区画名の入力を受け付ける。このとき、入力装置１３は、１または複数の区画の入力を受け付ける。「区画Ｂ３５ｂ」および「区画Ｃ３５ｃ」が選択された場合、工程表生成部２３は、工程データ記憶部１０を参照し、入力された「区画Ｂ３５ｂ」および「区画Ｃ３５ｃ」に係る区画情報を有する工程データ２０を読み出す。
【００３７】
シミュレーション部２４は、入力された区画に関するシミュレーション動画３４を生成し、出力装置１４より出力する。図６は、区画Ｂ３５ｂおよび区画Ｃ３５ｃに関するシミュレーション動画３４を概念的に示す説明図である。図６のシミュレーション動画３４においては、区画Ｂ３５ｂおよび区画Ｃ３５ｃにおける工事の状況がシミュレーションされる。シミュレーション部２４は、例えば区画Ｂ３５ｂおよび区画Ｃ３５ｃに含まれる形状データＡ３６ａ、形状データＥ３６ｅのみを表示し、区画Ａ３５ａおよび区画Ｄ３５ｄの形状データを非表示にする。
【００３８】
出力装置１４は、生成された区画別工程表３０およびシミュレーション動画３４を出力する。操作者は、所望の区画に係る区画別工程表３０を容易に得ることができ、一つの区画の詳細な計画の立案から、複数の区画の関連を確認しながら工事計画を検討できる。
【００３９】
次に、これら区画別工程表３０およびシミュレーション動画３４を、系統別の工程表およびシミュレーション動画に変換する際の処理を説明する。
【００４０】
図７は、本実施形態における建設工程管理システム１により実施される工程表変換処理を説明するフローチャートである。
【００４１】
ステップＳ１において、入力装置１３は、操作者より系統別工程表４０およびシミュレーション動画３４を表示する系統の系統名の入力を受け付ける。このとき、入力装置１３は、１または複数の系統の入力を受け付ける。入力装置１３は、例えば、入力「系統Ａ」を受け付ける。入力装置１３は、入力された系統名をデータ処理装置１２に供給する。
【００４２】
ステップＳ２において、データ処理装置１２のデータ変換部２５は、区画別工程表３０より、入力された系統名に属する作業（工程）を抽出する。すなわち、データ変換部２５は、区画別工程表３０に示された各工程の作業情報を参照し、入力された系統名に係る系統情報が関連づけられた作業情報を有する作業を抽出する。具体的には、データ変換部２５は、図３の区画別工程表３０から系統Ａに関連する作業のみを抽出する。また、入力ステップＳ１において系統名が複数入力された場合には、データ変換部２５は、作業を系統情報毎に抽出する。
【００４３】
ステップＳ３において、データ変換部２５は、抽出ステップＳ２において抽出された工程を入力された系統毎に並び替え、入力された系統に関する系統別工程表４０を生成する。
【００４４】
図８は、系統Ａに関する系統別工程表４０の一例を示す説明図である。系統別工程表４０においては、縦軸に系統名、横軸に時間を割り当て、各作業が実施される期間は工程バー４１を用いて示される。すなわち、図８の系統別工程表４０は、図３の区画別工程表３０から系統Ａに関連づけられた作業のみを抽出し、抽出された作業を並び替えて表示したものに相当する。また、入力ステップＳ１において系統名が複数入力された場合には、データ変換部２５は、抽出された工程を系統毎に並び替えることにより、系統別工程表４０に変換する。データ変換部２５は、工程バー４１に各作業の工程が属する区画名も併せて表示する。
【００４５】
シミュレーション部２４は、入力された系統に関するシミュレーション動画を生成する。シミュレーション部２４は、ＣＡＤデータ記憶部１１を参照し、入力された系統名に係る系統情報を有する形状データを読み出す。図９は、系統Ａに関するシミュレーション動画４４を概念的に示す説明図である。例えば、シミュレーション部２４は、「系統Ａ」に関連づけられた形状データＡ３６ａ〜形状データＣ３６ｃの工事の状況をシミュレーションする。
【００４６】
出力装置１４は、生成された系統別工程表４０およびシミュレーション動画４４を出力する。
【００４７】
このような工程表変換処理を実行する建設工程管理システム１によれば、建設工事の段階に応じて区画別工程表３０および系統別工程表４０を容易に生成することができる。具体的には、建設工程管理システム１は、建設工事の初期段階においては、工事の管理単位に相当する区画別工程表３０を提供できる。一方、建設工事が進み工事の管理単位が系統別に移行した場合には、建設工程管理システム１は、区画別工程表３０に基づきコンピュータ上で電子的に生成された系統別工程表４０を提供することができる。すなわち、建設工程管理システム１は、区画別工程表３０から系統別工程表４０を自動変換することができ、新たな系統別工程表４０の作成時間、作成コストを削減できる。
【００４８】
また、建設工程管理システム１は、区画別工程表３０および系統別工程表４０と共に、工程表に対応したシミュレーション動画３４、４４を出力することができる。これにより、工事の状況を視覚的に認識させることができる。
【００４９】
また、建設工程管理システム１は、区画別と系統別との間で工程表およびシミュレーション動画を変換でき、工事の工程を２つの視点で視覚的に認識させることができる。これにより、建設工程管理システム１は、作業の誤認識と、この誤認識に基づく無駄な作業とを低減でき、この結果作業の検討に要する時間を削減できる。
【００５０】
建設工程管理システム１は、区画別工程表３０（およびシミュレーション動画３４）から系統別工程表４０（およびシミュレーション動画４４）へ変換することにより、操作者はプラントの系統試験開始までにすべての工事、電気・計装試験が完了しているかを視覚的に認識することができる。また、操作者は、工事が完了していない場合には残工事内容と問題となる干渉物の確認を３ＤＣＡＤ（シミュレーション動画）によりイメージでき、工事計画における検討時間を削減できる。
【００５１】
さらに、区画別工程表３０と系統別工程表４０は、表示方法が異なるだけで表示を構成する情報は同一である。このため、建設工程管理システム１は、別途系統別工程表４０を作成する作業により発生する入力ミスを削減できる。
【００５２】
次に、工程編集部２６により実行される、区画別工程表３０を介して作業期間を編集する処理について説明する。
【００５３】
図１０は、本実施形態における建設工程管理システム１により実施される工程編集処理を説明するフローチャートである。
【００５４】
図１１は、区画別工程表３０の作業期間を編集する際の、編集前の区画別工程表３０を示す説明図である。図１２は、区画別工程表３０の作業期間を編集する際の、編集後の区画別工程表３０を示す説明図である。
【００５５】
図１１および図１２においては、一例として区画Ｂ３５ｂおよび区画Ｃ３５ｃの区画別工程表３０を用いて説明する。
【００５６】
ステップＳ１１において、入力装置１３は、作業期間（期間情報）を変更したい工程バー３１の移動により、作業期間の編集内容を操作者より受け付ける。例えば図１１に示すように、操作者はマウスなどの入力装置１３を介して、作業項目１が割り当てられた区画Ｂ３５ｂの工程バー３１ａを右に移動し、作業期間を当初の期間より遅らせる（着手日時および終了日時を遅らせる）。入力装置１３は、入力された編集内容をデータ処理装置１２に供給する。
【００５７】
ステップＳ１２において、データ処理装置１２の工程編集部２６は、編集内容を工程データ記憶部１０に反映させる。すなわち、工程編集部２６は、作業項目１に係る工程データ２０を入力に従って編集する。なお、工程編集部２６は、データ処理装置１２に記憶領域を設けて変更を記憶し、工程データ記憶部１０の工程データ２０の変更を行わなくてもよい。
【００５８】
ステップＳ１３において、工程編集部２６は、入力された編集内容が反映された区画別工程表３０を再生成する。また、シミュレーション部２４も、区画別工程表３０の変更に合わせて、シミュレーション動画３４を再生成する。工程の実施期間が遅くなるため、変更された工程に係る部材の表示タイミングも遅くなる。すなわち、区画Ｂ３５ｂの作業項目１に係る部材（形状データ）が表示されるタイミングが、遅くなる。出力装置１４は、生成された区画別工程表３０およびシミュレーション動画３４を出力する。
【００５９】
この後、例えば操作者より区画別工程表３０を系統別工程表４０に変換する指示を受け付けると、データ変換部２５は、上述した図７の抽出ステップＳ２および生成・出力ステップＳ３と同様に、編集後の区画別工程表３０に基づいて系統別工程表４０を生成する。
【００６０】
図１３は、編集後の区画別工程表３０に基づいて生成される系統別工程表４０の一例を示す説明図である。
【００６１】
図１３の系統別工程表４０において、区画別工程表３０において変更された区画Ｂ３５ｂの作業項目１に対応する工程バー３１ｂの表示位置は、図８の系統別工程表４０と比較して右側に移動する。すなわち、この工程が実施される期間は自動で変更されて表示される。また、シミュレーション部２４は、シミュレーション動画４４における、区画Ｂ３５ｂの作業項目１に関連する部材が表示されるタイミングを変更前に比べて遅らせる。
【００６２】
このように、建設工程管理システム１は、区画別工程表３０で変更された作業期間を、自動で系統別工程表４０に反映させることができる。すなわち、建設工程管理システム１は、作業工程の期間が変更された場合であっても、作業者が個別に変更を系統別工程表４０に反映する作業を低減することができる。
【００６３】
また、建設工程管理システム１は、以後同様の設計仕様を有するプラントを建設する場合は、すでに生成された区画別工程表３０を容易に編集して用いることができ、区画別工程表３０および系統別工程表４０の作成時間、作成コストを削減できる。
【００６４】
また、建設工程管理システム１は、区画別および系統別工程表３０、４０の変更を電子情報化できるため、区画別工程表３０の変更、改訂を系統別工程表４０の管理者へ周知することにより、系統別工程表４０の変更作業に伴う改訂版の作成時間、作成コストを削減できる。
【００６５】
さらに、区画別工程表３０と系統別工程表４０は、表示方法が異なるだけで表示を構成する情報は同一である。このため、建設工程管理システム１は、区画別工程表３０を変更・改訂後、別途系統別工程表４０を変更し、改訂する作業により発生する入力ミスを削減できる。
【００６６】
すなわち、本実施形態における建設工程管理システム１およびその管理方法は、区画別工事管理と系統別工事管理とを一元化し、工程表作成に要する時間を削減することができる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６８】
本実施形態において記載した手法は、コンピュータに実行させることのできるプログラムとして、例えば磁気ディスク、光ディスク、半導体メモリなどの記憶媒体に書き込んで各種装置に適用したり、通信媒体により伝送して各種装置に適用したりすることも可能である。本装置を実現するコンピュータは、記憶媒体に記録されたプログラムを読み込み、このプログラムによって動作が制御されることにより、上述した処理を実行する。
【符号の説明】
【００６９】
１  建設工程管理システム
１０  工程データ記憶部
１１  ３次元ＣＡＤデータ記憶部（ＣＡＤデータ記憶部）
１２  データ処理装置
１３  入力装置
１４  出力装置
２０  工程データ
２１  ＣＡＤデータ
２３  工程表生成部
２４  シミュレーション部
２５  データ変換部
２６  工程編集部
３０  区画別工程表
３１、４１  工程バー
３４、４４  シミュレーション動画
４０  系統別工程表
【図１】
0005734902.tif 000002
【図２】
0005734902.tif 000003
【図３】
0005734902.tif 000004
【図４】
0005734902.tif 000005
【図５】
0005734902.tif 000006
【図６】
0005734902.tif 000007
【図７】
0005734902.tif 000008
【図８】
0005734902.tif 000009
【図９】
0005734902.tif 000010
【図１０】
0005734902.tif 000011
【図１１】
0005734902.tif 000012
【図１２】
0005734902.tif 000013
【図１３】
0005734902.tif 000014